(57)【要約】      （修正有）【課題】炭が有する各種の作用を有効に活用することができる炭保持体、及び、この炭保持体を備えるマスク等を提供する。【解決手段】マスク１００の本体１０２の内側にポケット１１０が設けられており、炭が収納された炭パック１２０と、炭電子反射シート１３０が重ねて収納される。炭パック１２０は、不織布などの通気性のある素材による袋１２２内に炭１２４を封入したものである。炭電子反射シート１３０は、アルミシートに通気孔１３２を設けたものである。息を吸うときは、マスク１００の本体１０２を通った空気が炭電子反射シート１３０の通気孔１３２を通過し、更に炭パック１２０を通過して鼻もしくは口に吸い込まれる。このとき、炭パック１２０の炭１２４から放出される炭電子によって除菌や血行促進などの効果が得られる。炭電子反射シート１３０は、炭１２４から放出された炭電子を炭パック１２０の炭１２４側に反射する。【選択図】図１
0003233985.tif 000002
【実用新案登録請求の範囲】
【請求項１】
炭を保持する保持手段，
保持された炭から放出される炭電子を対象物に作用させるための炭電子放出手段，
保持された炭から放出される炭電子であって、前記対象物と反対の方向に放出される炭電子を、前記炭ないし対象物の方向に反射する炭電子反射手段，
を備えたことを特徴とする炭保持体。
【請求項２】
請求項１記載の炭保持体をマスク本体内側に設けるとともに、
前記炭電子反射手段に通気用の孔を設け、
前記炭電子が作用した空気を人が吸い込むようにしたことを特徴とするマスク。
【請求項３】
空気の通路を有する筐体を備えており、前記通路に送風手段を設けて、前記通路内を空気が通るようにした空気清浄器であって、
前記通路の壁面に請求項１記載の炭保持体を設け、通路を通過する空気に対して前記炭電子が作用するようにしたことを特徴とする空気清浄器。
【請求項４】
人が仰臥するベッドの下の空間に請求項１記載の炭保持体を設け、ベッド上の人に対して前記炭電子が作用するようにしたことを特徴とするベッド。
【請求項５】
サウナ室内の少なくとも壁面に請求項１記載の炭保持体を設け、サウナ室内の空気に対して前記炭電子が作用するようにしたことを特徴とするサウナ室。
【請求項６】
前記炭保持体の炭を加熱する補助加熱手段を備えたことを特徴とする請求項５記載のサウナ室。
【請求項７】
床の下の空間に請求項１記載の炭保持体を設け、床上の人に対して前記炭電子が作用するようにしたことを特徴とする床構造。
【請求項８】
コタツの内側におけるヒーターの近傍に請求項１記載の炭保持体を設け、コタツ内の空間に対して前記炭電子が作用するようにしたことを特徴とするコタツ。
【請求項９】
乗り物の室内の少なくとも天井に請求項１記載の炭保持体を設け、室内に対して前記炭電子が作用するようにしたことを特徴とする乗り物。
【請求項１０】
移送用チューブに請求項１記載の炭保持体を設け、チューブ内の移送物に対して前記炭電子が作用するようにしたことを特徴とする移送用チューブ。
【考案の詳細な説明】
【技術分野】
【０００１】
本考案は、炭を利用して滅菌・抗菌などの各種の作用を得る炭保持体，それらを利用したマスク，空気清浄器等に関する。
【背景技術】
【０００２】
炭を利用した従来技術としては、例えば、下記特許文献１記載の静電気除去枕がある。これは、粒状木炭を一定厚みで一定大きさの有孔性シートに囲繞して木炭マット基材とし、この木炭マット基材と木片マット基材とを任意の配列で配置して吸湿性素材からなる織布、編布、不織布、シートで囲繞して枕マット材とし、この枕マット材を任意に折り曲げて重ねてカバーをしたものである。
【先行技術文献】
【特許文献】
【０００３】
【特許文献１】実用新案登録第３０３０５９１号公報
【考案の概要】
【考案が解決しようとする課題】
【０００４】
ところで、炭には、上述した背景技術のような余分な電気を除く作用があるが、特に、最近は、コロナウイルスによる感染が懸念されており、抗ウイルス等にも活用できると、更に好都合である。
【０００５】
本考案は、上記点に着目したもので、炭が有する各種の作用を有効に活用することができる炭保持体，マスク，空気清浄器等を提供することを、その目的とする。
【課題を解決するための手段】
【０００６】
前記目的を達成するため、本考案の炭保持体は、炭を保持する保持手段，保持された炭から放出される炭電子を対象物に作用させるための炭電子放出手段，保持された炭から放出される炭電子であって、前記対象物と反対の方向に放出される炭電子を、前記炭ないし対象物の方向に反射する炭電子反射手段，を備えていることを特徴とする。
【０００７】
主要な形態によれば、前記炭保持体は、マスク，空気清浄器，ベッド，サウナ室，床構造，コタツ，乗り物，移送用チューブに適用される。本考案の前記及び他の目的，特徴，利点は、以下の詳細な説明及び添付図面から明瞭になろう。
【考案の効果】
【０００８】
本考案によれば、炭から放出される炭電子を対象物に無駄なく効率的に作用させて、電子の有効活用を図ることとしたので、除菌・抗菌，血行促進など炭が有する各種の作用を有効に活用することができる。
【図面の簡単な説明】
【０００９】
【図１】本考案の実施例１のマスクを示す。
【図２】本考案の実施例２の空気清浄器を示す。
【図３】本考案の実施例３のベッドを示す。
【図４】本考案の実施例４のサウナ室，床面，コタツを示す。
【図５】本考案の実施例５の自動車，移送用チューブを示す。
【図６】本考案に関連して行ったコロナウイルス除去の試験の様子を示す。
【考案を実施するための形態】
【００１０】
以下、本考案を実施するための最良の形態を、実施例に基づいて詳細に説明する。
【実施例１】
【００１１】
最初に、図１を参照しながら、本考案の実施例１について説明する。図１には、本実施例のマスクが示されている。同図(A)において、マスク１００は、本体１０２と、その両端の一対の紐１０４によって構成されている。本体は不織布などによって構成されており、必要に応じてノーズワイヤなどが含まれている。
【００１２】
次に、本実施例では、本体１０２の内側にポケット１１０が設けられており、ポケット１１０には、炭が収納された炭パック１２０と、炭電子反射シート１３０が重ねて収納されるようになっている。炭パック１２０は、例えば不織布などの通気性のある素材によって構成した袋１２２内に炭１２４を細かくして封入したものである。炭電子反射シート１３０は、例えばアルミシートに通気孔１３２を適宜の間隔で設けたものである。
【００１３】
図１(B)には、断面から見た構成が示されており、息を吸うときは、マスク１００の本体１０２を通った空気が炭電子反射シート１３０の通気孔１３２を通過し、更に炭パック１２０を通過して鼻もしくは口に吸い込まれる。このとき、
ａ，本体１０２によって埃，塵，飛沫などの侵入が防止される。
ｂ，炭パック１２０の炭１２４によって細菌やウイルスを消去する。
ｃ，空気ないし酸素が炭１２４を通ることによって炭電子をもったエネルギーのある酸素（高酸素）となり、これが口腔内の細胞を活性化して酸化を防ぐとともに、気管支・肺・全身への血流が促され、体内の諸器官が活性化されるようになる。
ｄ，炭電子反射シート１３０は、炭１２４から放出された炭電子を炭パック１２０の炭１２４側に反射し、前記ｃの効果をより高める。
ｅ，マスク本体１０２の抗菌・除菌を行うことができる。
といった作用が生じ、本実施例のマスク１００によれば、埃・塵や飛沫などを防ぎ、細菌やウイルスが消去ないし消滅させることができる。
【実施例２】
【００１４】
次に、図２(A)を参照して、本考案の実施例２について説明する。本実施例は、空気清浄器２００の例で、同図に主要断面を示すように、空気清浄器２００は、筐体２１０内に、空気通路２１２を有している。図示の例では、空気通路２１２は、クランク状に曲折しているが、らせん状とするなど、各種の形態があり得る。筐体２１０の空気通路２１２の内側には、炭パック２２０が設けられている。また、空気通路２１２の空気の入口にはゴミなどの除去用のフィルタ２１６が設けられており、空気の出口にはファン２１８が設けられている。炭パック２２０は、同図(B)に示すように、容器２２２に炭電子反射シート２２４を挟んで炭層２２６を収納した構成となっている。炭層２２６は、例えば不織布の通気性のある素材の袋内に炭を収容した構成となっている。
【００１５】
ファン２１８を駆動すると、入口から空気通路２１２に入った空気は、通路壁面の炭パック２２０によって、上述したマスクの場合と同様のウイルス除去を受けつつ通路内を移動し、ファン２１８から清浄器外に放出される。また、通路が炭電子によって高酸素状態となり、室内に清浄化された空気が高酸素として放射されるようになる。
【００１６】
このように、本実施例によれば、炭の効能によって空気の清浄化や高酸素環境が得られる。例えば、紫外線によって空気の殺菌を行うような場合と比較して、人体に対する悪影響がなく安全であるといった利点がある。
【実施例３】
【００１７】
次に、図３を参照して、本考案の実施例３について説明する。本実施例は、同図(A)に示すように、ベッド３００の下の空間３０２に炭ボックス３１０を多数配置した例である。炭ボックス３１０は、同図(B)に拡大して示すように、容器３１２に炭電子反射シート３１４を敷いて炭３１６を収容した構成となっている。同図(B)の例は、３つの炭ボックス３１０を横に並べた例であるが、同図(C)に示すように並べてもよい。炭ボックス３１０は、六面のうち、上面を除く五面に炭電子反射シート３１４が施されているため、上面に向かった集中的に電子エネルギーが放射されるようになっている。
【００１８】
本実施例によれば、同図(A)に示すように、炭ボックス３１０の炭３１６からベッド３００の人に対して集中的に炭電子が放出されるようになり、除菌・抗菌作用に加えて、睡眠中に体全体の血流が促され、体内の諸器官の機能が向上し、自律神経のバランスの改善や疲労感の低減を図ることができる。
【実施例４】
【００１９】
次に、図４を参照して、本考案の実施例４について説明する。同図(A)の例は、本考案をサウナ室４００に適用した例である。サウナ室４００の天井面，壁面，床面には、下地に対して、断熱材４０２，炭電子反射シート４０４，炭層４０６，表面仕上げ材４０８が順に積層形成されている。なお、サウナ室４００の出入り口にも、同様に断熱材４０２等を設けてよい。表面仕上げ材４０８には、炭電子放出孔４１０が適宜の間隔で多数設けられている。図示の例では、壁面にのみ設けているが、他の面に設けてもよい。更に本実施例では、点線部分を拡大して示すように、椅子の中などの適宜位置に補助ヒーター４２０が設けられており、ヒーター線４２２が前記炭層４０６内に設けられている。ヒーター線４２２の代わりに、温水を供給する配管を設けて循環させるようにしてもよい。
【００２０】
本実施例でも、サウナ室４００内において、上述した実施例３と同様に、炭層４０６から炭電子が放射され、除菌・抗菌作用の他、サウナによる発汗効果に加えて、血流によって発汗させて肌荒れを防ぎ、体調が整えられるようになる。加えて、本実施例では、補助ヒーター４２０及びヒーター線４２２によって炭層４０６が暖められるため、炭電子が急速に放射されるようになり、これによっても血流が促されるようになる。なお、補助ヒーター４２０は、従来の肌に熱を与えて血流を促す方法と比較して、熱量が少ないので、省エネ効果が得られる。
【００２１】
同図(B)は、本考案を建築物の床５００に適用した例である。床５００には、床仕上げ材５０２の下に、下地材５０４が設けられており、下地材５０４は根太５１０によって支えられている。炭ボックス５２０は、根太５１０の間に設けられており、支持材５１２によって支持されている。炭ボックス５２０は、容器５２２に、炭電子反射シート５２４を敷いて更に炭５２６を充填した構成となっている。そして、炭ボックス５２０の上面側の下地材５０４には、炭電子放出孔５０６が、適宜の間隔で設けられている。本実施例でも、床５００において、上述した実施例と同様に、炭５２６から炭電子が放射されて室内が高酸素環境となり、これによって血流を促す，雑菌を防ぐ，室内のＶＯＣ（有害物質）を分解・中和して酸化環境を防ぐなどの効果が得られる。
【００２２】
同図(C)は、本考案をコタツ６００に適用した例である。コタツ６００の内側には低温ヒーター６０２が設けられており、外側上面には天板６０４が設けられる。低温ヒーター６０２の周囲には、炭パック６１０が設けられている。炭パック６１０は、炭電子反射シート６１４と炭層６１６を積層したもので、炭層６１６を支える支持面６１８には炭電子放出孔６２０が設けられている。本実施例でも、コタツ６００において、上述した実施例と同様に、炭層６１６から炭電子が放射され、除菌・抗菌作用に加えて、低温ヒーター６０２によって温度が上がると炭電子の放射力が高まって、身体（下肢）を温める，血流効果，省エネ，肌荒れ防止，足からの脱臭，低温やけど防止などの効果が得られる。
【実施例５】
【００２３】
次に、図５を参照して、本考案の実施例５について説明する。同図(A)の例は、本考案を自動車７００の天井に適用した例である。自動車７００の天井には、高断熱材７０２が貼付けられている。そして、この断熱材７０２に、炭電子反射シート７０４を挟んで炭層７０６が設けられている。炭層７０６の露出面には仕上げ層７０８が形成されている。本実施例でも、天井において、上述した実施例と同様に、炭層７０６から炭電子が仕上げ層７０８を通じて放射され、車内の除菌・抗菌作用に加えて、空気環境が酸化しない，疲労感がない，血行が改善されるなどの効果が得られる。なお、図示の例は、自動車の天井に炭層７０６を設けた例であるが、車内のドア内側やシート面など、必要に応じて適宜設けてよい。また、自動車に限らず、各種車両や航空機，船舶などの乗り物に対しても適用可能である。
【００２４】
同図(B)の例は、本考案を移送用チューブ８００に適用した例である。同図(B)の＃５Ａ−＃５Ａ線に沿って矢印方向に見た縦断面が同図(C)に示されており、同図(C)の＃５Ｂ−＃５Ｂ線に沿って矢印方向に見た横断面が同図(D)に示されている。移送用チューブ８００は、例えば酸素ボンベ等から供給される酸素を鼻や口に供給するためのもので、その途中の適宜位置に高酸素呼吸器８１０が設けられている。高酸素呼吸器８１０は、円筒形状の本体８１２の内部に、電子エネルギーのある高品質の炭層８１６が炭電子反射シート８１４を挟んで筒状に設けられている。本体８１２の両端には、チューブ８０４を接合するための接続管８２０が設けられている。
【００２５】
チューブ８０４から高酸素呼吸器８１０に導入された空気や酸素は、高酸素呼吸器８１０を通過するときに炭層８１６から放射される炭電子の影響を受け、高酸素エネルギーが向上して出力されるようになる。この高酸素を吸引することで、全身の細胞や器官を活性化し、かつ、体内酸化を防ぎ、早期回復が得られる。
【００２６】
なお、高酸素呼吸器８１０の本体８１２の外周，もしくは炭電子反射シート８１４の外側ないし内側に、ヒートテープ８３０を設けるようにしてもよい。ヒートテープ８３０に通電して炭層８１６を暖めると、高酸素エネルギーの放出が活発化する。このため、例えば凍傷などで心肺機能が低下している状況では、効率的に高酸素エネルギーを取り込むことができるようになる。
【００２７】
＜試験例＞  図６には、本考案に関連して行ったウイルスに対する効果確認試験の様子が示されている。本試験では、同図(A)に示すアクリル製容器ＴＡのみの場合を比較対象とし、同図(B)に示す炭ボックスＴＢをアクリル製容器ＴＡ内に収容した場合と、同図(C)に示す表面を不織布で覆った炭ボックスＴＣをアクリル製容器ＴＡ内に収容した場合とを試験対象とした。なお、ウイルスとしては、豚感染性のコロナウイルスを使用した。
【００２８】
そして、同図(A)〜(C)のそれぞれの場合について、ウイルス液を添加したシャレーＣＨをアクリル製容器ＴＡ内に投入し、投入時と２４時間経過時のウイルス量を比較した。その結果、同図(B)の場合で99.0％のウイルス減少率となり、不織布で覆った同図(C)の場合でも98.4％のウイルス減少率となり、顕著な効果が確認された。このように、炭と触れ合う時間が長いほど、良好なウイルス減少効果を得ることができる。従って、例えば図２の実施例の場合、空気通路２１２を長くするほど効果的である。
【００２９】
＜他の実施例＞  なお、本考案は、上述した実施例に限定されるものではなく、本考案の要旨を逸脱しない範囲内において種々変更を加えることができる。例えば、以下のものも含まれる。
(1)前記実施例で示した炭電子反射シートとしては、例えば、高反射（９５％以上）シートを使用する。素材としては、アルミニウムが好適であるが、他の金属素材を用いてもよい。
(2)前記実施例では、炭パック，炭ボックス，炭層としたが、必要に応じて適宜の形態としてよい。また、炭部と炭電子反射シートを分離して構成したが、両者を一体化するとともに、炭部の表面に炭電子放出孔を設けた炭保持体として、各所に適用してよい。なお、炭表面の炭電子放出孔は、炭表面そのものであってもよい。
【産業上の利用可能性】
【００３０】
本考案によれば、炭から放出される炭電子を対象物に効率的に作用させることとしたので、除菌・抗菌，血行促進など炭が有する各種の作用を有効に活用することができ、マスク，空気清浄器等に適用可能である。
【符号の説明】
【００３１】
１００：マスク
１０２：本体
１０４：紐
１１０：ポケット
１２０：炭パック
１２２：袋
１２４：炭
１３０：炭電子反射シート
１３２：通気孔
２００：空気清浄器
２１０：筐体
２１２：空気通路
２１６：フィルタ
２１８：ファン
２２０：炭パック
２２２：容器
２２４：炭電子反射シート
２２６：炭層
３００：ベッド
３０２：空間
３１０：炭ボックス
３１２：容器
３１４：炭電子反射シート
３１６：炭
４００：サウナ室
４０２：断熱材
４０４：炭電子反射シート
４０６：炭層
４０８：表面仕上げ材
４１０：炭電子放出孔
４２０：補助ヒーター
４２２：ヒーター線
５００：床
５０２：床仕上げ材
５０４：下地材
５０６：炭電子放出孔
５１０：根太
５１２：支持材
５２０：炭ボックス
５２２：容器
５２４：炭電子反射シート
５２６：炭
６００：コタツ
６０２：低温ヒーター
６０４：天板
６１０：炭パック
６１４：炭電子反射シート
６１６：炭層
６１８：支持面
６２０：炭電子放出孔
７００：自動車
７０２：断熱材
７０４：炭電子反射シート
７０６：炭層
７０８：仕上げ層
８００：移送用チューブ
８０４：チューブ
８１０：高酸素呼吸器
８１２：本体
８１４：炭電子反射シート
８１６：炭層
８２０：接続管
８３０：ヒートテープ
ＣＨ：シャレー
ＴＡ：アクリル製容器
ＴＢ，ＴＣ：炭ボックス
【図１】
0003233985.tif 000003
【図２】
0003233985.tif 000004
【図３】
0003233985.tif 000005
【図４】
0003233985.tif 000006
【図５】
0003233985.tif 000007
【図６】
0003233985.tif 000008